(57)【要約】【課題】本発明は、ユーザに対して何ら煩雑な操作を強いることなく、画面に表示された各種情報を外部機器へ受け渡せるようにする。【解決手段】本発明は、シリアル番号、ＵＲＬ、又はエラーコードをＰＮＤ２の不揮発性メモリ２１に記憶し、当該シリアル番号、当該ＵＲＬ又は当該エラーコードを読み出してモニター４に表示し、当該シリアル番号、当該ＵＲＬ又は当該エラーコードを無線通信、ＱＲコードに対する携帯電話機６の撮像処理、又はメモリカードを介したオフライン通信処理により携帯電話機６へ受け渡すことにより、ユーザに対して何ら煩雑な操作を一切させることなく、携帯電話機６へモニター４に表示されたシリアル番号、ＵＲＬ又はエラーコードを受け渡すことができる。【選択図】図２
2009025254.tif 000002
【特許請求の範囲】
【請求項１】
自身に対して固有に与えられた識別番号と、サーバに対して通信するための通信用アドレス又は、不具合が生じたときのエラー情報を記憶した記憶手段と、
上記識別番号、上記通信用アドレス又は上記エラー情報を画面に表示する表示手段と、
上記識別番号、上記通信用アドレス又は上記エラー情報を所定の方法により外部機器へ受け渡す提供手段と
を具えることを特徴とするナビゲーション装置。
【請求項２】
上記通信用アドレスに基づいてアクセスした上記サーバから所定の提供情報を受信した上記外部機器を介して当該提供情報を受け取る取得手段と、
上記取得手段により受け取った上記提供情報が施設情報である場合、当該施設情報の緯度経度情報に応じて位置情報を生成する位置情報生成手段と、
上記位置情報を上記記憶手段に登録する位置情報登録手段と
を具えることを特徴とする請求項１に記載のナビゲーション装置。
【請求項３】
上記提供手段は、
上記識別番号、上記通信用アドレス又は上記エラー情報を上記外部機器へ無線通信により受け渡す
ことを特徴とする請求項１に記載のナビゲーション装置。
【請求項４】
上記提供手段は、
上記識別番号、上記通信用アドレス又は上記エラー情報を上記外部機器に撮像させることにより受け渡すための所定の変換方式による符号化画像に変換し、上記表示手段の画面に表示する
ことを特徴とする請求項１に記載のナビゲーション装置。
【請求項５】
上記提供手段は、
上記識別番号、上記通信用アドレス又は上記エラー情報を所定の情報格納媒体に書き込み、上記情報格納媒体を介して上記外部機器へ上記識別番号、上記通信用アドレス又は上記エラー情報をオフライン通信により受け渡す
ことを特徴とする請求項１に記載のナビゲーション装置。
【請求項６】
自身に対して固有に与えられた識別番号と、サーバに対して通信するための通信用アドレス又は、不具合が生じたときのエラー情報を記憶した記憶手段から上記識別番号、上記通信用アドレス又は上記エラー情報を読み出し、所定の表示手段の画面に表示する表示ステップと、
上記識別番号、上記通信用アドレス又は上記エラー情報を所定の方法により外部機器へ受け渡す提供ステップと
を具えることを特徴とするナビゲーション装置の情報提供方法。
【請求項７】
ナビゲーション装置と、当該ナビゲーション装置と通信する通信端末装置とからなる情報通信システムであって、
上記ナビゲーション装置は、
自身に対して固有に与えられた識別番号と、サーバに対して通信するための通信用アドレス又は、不具合が生じたときのエラー情報を記憶した記憶手段と、
上記識別番号、上記通信用アドレス又は上記エラー情報を画面に表示するナビゲーション表示手段と、
上記識別番号、上記通信用アドレス又は上記エラー情報を所定の方法により外部機器へ受け渡す提供手段と
を具え、
上記通信端末装置は、
上記提供手段によって受け渡された上記識別番号、上記通信用アドレス又は上記エラー情報を取得する取得手段と、
上記取得手段により取得した上記識別番号、上記通信用アドレス又は上記エラー情報を画面に表示する端末表示手段と、
上記通信用アドレスに基づいて上記サーバと通信する通信手段と
を具えることを特徴とする情報通信システム。
【発明の詳細な説明】
【技術分野】
【０００１】
本発明は、ナビゲーション装置、ナビゲーション装置の情報提供方法及び情報通信システムに関し、例えば、ポータブルナビゲーション装置（以下、これをＰＮＤ（Portable Navigation Device）と呼ぶ）に適用して好適なものである。
【背景技術】
【０００２】
従来、ＰＮＤにおいては、ユーザ登録の申請を行わせる場合、シリアル番号及びサーバに接続するためのＵＲＬ（Uniform Resource ocator）が書かれたユーザ登録用紙が当該ＰＮＤの梱包箱に収められており、パーソナルコンピュータ等でサーバに接続して、ユーザ登録を行うための氏名及び住所等の個人情報とシリアル番号とを入力する必要がある。
【０００３】
一方、車両用ナビゲーション装置において、当該車両用ナビゲーション装置に何らかの不具合が発生した場合、当該車両用ナビゲーション装置の画面上にエラーに対応したガイダンスメッセージを表示するようになされたものがある（例えば、特許文献１参照）。
【特許文献１】特開２００６−４４５５０公報
【発明の開示】
【発明が解決しようとする課題】
【０００４】
ところでかかる構成のＰＮＤにおいては、ＰＮＤの画面上に表示されたシリアル番号や、ＵＲＬ、エラーコード等をメモ用紙等に書き写させる等の煩雑な作業をユーザに強いるという問題があった。
【０００５】
またＰＮＤにおいては、シリアル番号や、ＵＲＬ、エラーコード等をユーザに書き写させる際に間違えて書き写されたり、又はパーソナルコンピュータ等に入力する際に間違えて入力された場合、ユーザ登録を行えない、又はエラーコードに対するエラー概要や対応方法等の情報を得られないという問題があった。
【０００６】
本発明は以上の点を考慮してなされたもので、ユーザに対して何ら煩雑な操作を強いることなく、識別番号、通信用アドレス又はエラー情報等の各種情報を正確かつ容易に外部機器へ受け渡し得るナビゲーション装置、ナビゲーション装置の情報提供方法及び情報通信システムを提案しようとするものである。
【課題を解決するための手段】
【０００７】
かかる課題を解決するため本発明のナビゲーション装置及びナビゲーション装置の情報提供方法においては、自身に対して固有に与えられた識別番号と、サーバに対して通信するための通信用アドレス又は、不具合が生じたときのエラー情報を記憶手段に記憶し、当該記憶手段から識別番号、通信用アドレス又はエラー情報を読み出して画面に表示し、識別番号、通信用アドレス又はエラー情報を外部機器へ受け渡すことにより、ユーザに対して何ら煩雑な操作を一切させることなく、ナビゲーション装置の画面に表示された識別番号、通信用アドレス又はエラー情報を外部機器へ受け渡すことができる。
【０００８】
また本発明の情報通信システムにおいては、ナビゲーション装置と、当該ナビゲーション装置と通信する通信端末装置とからなる情報通信システムであって、ナビゲーション装置は、自身に対して固有に与えられた識別番号と、サーバに対して通信するための通信用アドレス又は、不具合が生じたときのエラー情報を記憶した記憶手段と、識別番号、通信用アドレス又はエラー情報を画面に表示するナビゲーション表示手段と、識別番号、通信用アドレス又はエラー情報を所定の方法により外部機器へ受け渡す提供手段と具え、通信端末装置は、提供手段によって受け渡された識別番号、通信用アドレス又はエラー情報を取得する取得手段と、取得手段により取得した識別番号、通信用アドレス又はエラー情報を画面に表示する端末表示手段と、通信用アドレスに基づいてサーバと通信する通信手段とを設けることにより、ユーザに対して何ら煩雑な操作を一切させることなく、ナビゲーション装置の画面に表示された識別番号、通信用アドレス又はエラー情報を外部機器へ受け渡すことができる。
【発明の効果】
【０００９】
本発明によれば、ユーザに対して何ら煩雑な操作を一切させることなく、ナビゲーション装置の画面に表示された識別番号、通信用アドレス又はエラー情報を外部機器へ受け渡すことができ、かくしてユーザに対して何ら煩雑な操作を強いることなく、識別番号、通信用アドレス又はエラー情報等の各種情報を正確かつ容易に外部機器へ受け渡し得るナビゲーション装置、ナビゲーション装置の情報提供方法及び情報通信システムを実現することができる。
【発明を実施するための最良の形態】
【００１０】
以下に、図面について、本発明の一実施の形態を詳述する。
【００１１】
（１）情報通信システムの全体構成
図１において、１は全体として本発明の情報通信システムを示し、携帯型で持ち運び可能な主に車内に持ち込まれて用いられるＰＮＤ２、当該ＰＮＤ２と無線通信可能な携帯電話機６及び当該携帯電話機６とインターネットＮＴを介して接続されるサーバ１１とによって構成されている。
【００１２】
ＰＮＤ２は、本体部３における前面にモニター４が設けられており、本体部３に内蔵された不揮発性メモリやハードディスク等に格納されている地図データに応じた地図画像等をモニター４に対して表示し得るようになされている。
【００１３】
またＰＮＤ２には、本体部３の右側面にメモリカードを挿入するためのメモリカード挿入口５が設けられており、メモリカード挿入口５を介してメモリカードを抜き差しするようになされている。
【００１４】
携帯電話機６は、本体部７の右側面にメモリカード挿入口８が設けられ、当該本体部７の上方にＬＣＤ（Liquid Crystal Display）１０及び当該ＬＣＤ１０の下方にＣＣＤ（Charge Coupled Device）でなるカメラ部９が設けられた構造でなり、当該カメラ部９により撮像された画像をＬＣＤ１０に表示すると共に、その画像データをメモリカード挿入口８から差し込まれたメモリカードに対して書き込み得るようになされている。
【００１５】
なお携帯電話機６は、ＰＮＤ２のモニター４に表示された図示しないＱＲコード（登録商標）をカメラ部９により撮像すると、ＱＲコード情報をＬＣＤ１０に表示し得るようになされている。
【００１６】
サーバ１１は、ＰＮＤ２のアプリケーションプログラムを追加するための更新プログラム、ＰＮＤ２の不具合に対応したエラー概要及び対処方法を含むエラー対処情報、修理対応店及びサービスステーションの施設情報等に関する種々の提供情報が記憶されており、インターネットＮＴを介して携帯電話機６と接続されると、更新プログラム、エラー対処情報等の提供情報を相互に授受し得るようになされている。
【００１７】
（２）ＰＮＤ、携帯電話機及びサーバの回路構成
（２−１）ＰＮＤの回路構成
図２に示すように、ＰＮＤ２はバッテリ３１から供給された電力によって動作し、ＣＰＵ（Central Processing Unit）２０が全体を統括制御すると共に、不揮発性メモリ２１に格納された基本プログラムや各種アプリケーションプログラムを読み出してＲＡＭ（Random Access Memory）２２上で実行することにより、通常のナビゲーション機能、後述する情報提供取得処理機能を実現するようになされている。
【００１８】
このＰＮＤ２は、不揮発性メモリ２１に全国の地図を示す地図データが記憶されていると共に、各種施設などの関心地点を表すＰＯＩ（Point Of Interest）データが地図上の位置に対応付けられた状態で予め記憶されている。
【００１９】
またＰＮＤ２は、ＧＰＳ（Global Positioning System）衛星からの電波をＧＰＳユニット２３によって受信することにより、緯度、経度及び高度等からなるＧＰＳ情報を常時算出するようになされており、その結果得られたＧＰＳ情報をＣＰＵ２０へ送出する。
【００２０】
ＰＮＤ２のＣＰＵ２０は、ＧＰＳユニット２３から供給されたＧＰＳ情報と不揮発性メモリ２１に記憶されている地図データとを比較することにより、現時点でＰＮＤ２が存在する位置（すなわち、ＰＮＤ２が搭載された車両が存在する位置）を含む所定範囲の地図データを読み出し、その地図データに応じて自車位置とその周辺とを表す所定倍率の地図画像をモニター４のＬＣＤ２４に表示するようになされている。
【００２１】
またＰＮＤ２のＣＰＵ２０は、モニター４のＬＣＤ２４の表面に設けられたタッチパネル２５に対するユーザ操作に応じて、目的地としてＰＯＩデータが任意に選択された場合、車両の自車位置からＰＯＩデータに対応した目的地までの到達経路等を探索し、その到達経路を表したナビゲーション地図画像をＬＣＤ２４に表示し得るようになされている。
【００２２】
このときＰＮＤ２のＣＰＵ２０は、到達経路を表したナビゲーション地図画像をＬＣＤ２４に表示すると共に、車両が到達経路に従って目的地まで走行する間、ユーザの運転を誘導及び補助（以下、これらをナビゲートと呼ぶ）するための音声情報を生成し、音声処理部２６を介してナビゲート音声としてスピーカ２７から出力する。
【００２３】
このようにしてＰＮＤ２では、ユーザ所望の目的地まで車両をナビゲートするナビゲーション機能を提供し得るようになされている。
【００２４】
またＰＮＤ２は、例えばBluetooth（登録商標）モジュール又はＩｒＤＡ（Infrared Data Association）モジュール等でなる無線通信ユニット２８を有しており、当該ＰＮＤ２の周辺に存在し、Bluetoothモジュール又はＩｒＤＡモジュール等を含む通信端末（例えばBluetoothモジュール又はＩｒＤＡモジュールを搭載した携帯電話機６）との間で種々のデータ通信を実行し得るようになされている。
【００２５】
さらにＰＮＤ２のＣＰＵ２０は、当該ＰＮＤ２のモニター４に表示された各種情報をＱＲコード変換部２９でＱＲコードに変換してモニター４に表示するようになされている。
【００２６】
さらにＰＮＤ２は、ＣＰＵ２０とメモリカードとを電気的に接続するためのメモリカード装着部３０を有しており、当該メモリカード装着部３０を介して地図データやＰＯＩデータをメモリカードに対して書き込み又はメモリカードから読み出し得るようになされている。
【００２７】
（２−２）携帯電話機の回路構成
図３に示すように、携帯電話機６はバッテリ５０から供給される電力によって動作し、ＣＰＵ４０が全体を統括制御すると共に、不揮発性メモリ４１に格納された基本プログラムや各種アプリケーションプログラムを読み出してＲＡＭ４２上で実行することにより、通常の携帯電話機としての通話機能、インターネット接続機能及び無線通信機能等を実現し得るようになされている。
【００２８】
また携帯電話機６のＣＰＵ４０は、通話機能を実現する場合、マイクロフォン４４によって集音したユーザの音声を音声コーデック４５によって圧縮符号化し、その音声データを送受信部４３からアンテナ４３Ａを介して送信する一方、当該アンテナ４３Ａ及び送受信部４３を介して受信した通話相手の音声データを音声コーデック４５によって伸張復号化し、その結果得られる相手音声をスピーカ４６から出力する。
【００２９】
因みに携帯電話機６のＣＰＵ４０は、通話相手の携帯電話機ナンバー、通話相手の名前、電波の受信強度等に関する種々の携帯電話機情報をＬＣＤ１０に表示し得るようになされている。
【００３０】
さらに携帯電話機６のＣＰＵ４０は、Bluetoothモジュール又はＩｒＤＡモジュール等からなる無線通信ユニット４７を介してＰＮＤ２の無線通信ユニット２８と相互に無線通信し得るようになされており、不揮発性メモリ４１に格納されたＰＯＩデータ等をＰＮＤ２へ無線送信し得るようになされている。
【００３１】
さらに携帯電話機６のＣＰＵ４０は、カメラ部９で撮像された画像を携帯電話機６のＬＣＤ１０に表示し、その画像に対応した画像データを不揮発性メモリ４１に記憶させると共に、メモリカード装着部４８に装着されたメモリカードに対して当該画像データを書き込み得るようになされている。
【００３２】
さらに携帯電話機６のＣＰＵ４０は、ＰＮＤ２のモニター４に表示されたＱＲコードをカメラ部９で撮像すると、ＱＲコード変換部４９により当該ＱＲコードをＱＲコード情報に変換し、これをＬＣＤ１０に表示し得るようになされている。
【００３３】
（２−３）サーバの回路構成
次に、図４を用いてサーバ１１の回路構成について説明する。
【００３４】
サーバ１１のＣＰＵ６０は、ＲＯＭ（Read Only Memory）６２のブートプログラムに従って、ハードディスクドライブ６１から基本プログラム等をＲＡＭ６３上に立ち上げることにより、全体を統括制御すると共に各種処理を実行するようになされている。
【００３５】
またサーバ１１のＣＰＵ６０は、携帯電話機６からの要求に応じて、ハードディスクドライブ６１に蓄積された更新プログラムや、エラー対処情報、修理対応店及びサービスステーションの施設情報等の提供情報をネットワークインタフェース６４により携帯電話機６へ送信し得るようになされている。
【００３６】
さらにサーバ１１のＣＰＵ６０は、携帯電話機６から送信されたシリアル番号、ユーザの住所及び氏名等の個人情報をネットワークインタフェース６４により受信すると、当該シリアル番号及び個人情報をハードディスクドライブ６１に保存することによりユーザ登録を行うようになされている。
【００３７】
（３）情報提供取得処理
次に、情報通信システム１において行われる情報提供取得処理について、各モードに分けてそれぞれ説明する。
【００３８】
（３−１）ユーザ登録モード
図５に示すようにＰＮＤ２のＣＰＵ２０は、ユーザによりメニュー画面ＰＮＭを表示するための操作が行われたことを認識すると、不揮発性メモリ２１に予め登録されているメニュー画面ＰＮＭを読み出してモニター４に表示するようになされている。
【００３９】
ＰＮＤ２のＣＰＵ２０は、メニュー画面ＰＮＭのメニュー選択アイコンＩＣをスクロールして表示させるために当該メニュー画面ＰＮＭの右側にスクロールバーＳＢを表示し、メニュー画面ＰＮＭに入りきらないメニュー選択アイコンＩＣが存在する場合、タッチパネル２５を介してスクロールバーＳＢの上ボタンＵＢ又は下ボタンＤＢがユーザにタッチ操作されたことを認識すると、メニュー選択アイコンＩＣが上又は下へ順々に移動し、メニュー画面ＰＮＭに表示し得るようになされている。
【００４０】
ＰＮＤ２のＣＰＵ２０は、メニュー画面ＰＮＭのユーザ登録アイコンＩＣ１がユーザにタッチ操作されたことを認識すると、不揮発性メモリ２１に格納されているシリアル番号（シリアルＮｏ．１２３４５６７８９０）及びユーザ登録用ＵＲＬ（http://www.user registration）を読み出し、当該シリアル番号及び当該ユーザ登録用ＵＲＬと、当該シリアル番号及び当該ユーザ登録用ＵＲＬを携帯電話機６へ受け渡す方法をユーザに選択させるための送信アイコンＳＩ１、ＱＲコードアイコンＳＩ２及びメモリカードアイコンＳＩ３とが配置されたユーザ登録提供方法選択画面ＰＮＵ１を生成し、モニター４に表示するようになされている。
【００４１】
そしてＰＮＤ２のＣＰＵ２０は、ユーザ登録提供方法選択画面ＰＮＵ１の送信アイコンＳＩ１がユーザにタッチ操作されたことを認識すると、無線通信ユニット２８を介して携帯電話機６へシリアル番号及びユーザ登録用ＵＲＬが含まれたユーザ登録画面データを送信するようになされている。
【００４２】
このとき携帯電話機６のＣＰＵ４０は、ＰＮＤ２から送信されたユーザ登録画面データを無線通信ユニット４７を介して受信し、当該ユーザ登録画面データに対応したユーザ登録画面ＭＢＵ１をＬＣＤ１０に表示するようになされている。
【００４３】
携帯電話機６のＣＰＵ４０は、ユーザ登録画面ＭＢＵ１中のユーザ登録用ＵＲＬに対する操作に応じて、ユーザ登録用ＵＲＬに対応したサーバ１１に接続すると、そのサーバ１１へシリアル番号を送信する。
【００４４】
サーバ１１は、携帯電話機６から送信されたシリアル番号を受信すると、ユーザ登録するために必要な個人情報である住所及び氏名を入力させるための住所入力欄ＡＳ及び氏名入力欄ＮＳとシリアル番号とが配置されたユーザ入力画面データを携帯電話機６に送信する。
【００４５】
なおサーバ１１は、携帯電話機６から受信したシリアル番号がすでにユーザ登録されていた場合、例えばユーザ登録がすでになされている旨のメッセージを携帯電話機６に対して送信し、ユーザ登録がすでに行われていたことをユーザに知らせるようになされている。
【００４６】
携帯電話機６のＣＰＵ４０は、サーバ１１から送信されたユーザ入力画面データを受信し、当該ユーザ入力画面データに対応したユーザ入力画面ＭＢＵ２をＬＣＤ１０に表示し、ユーザにより住所入力欄ＡＳ及び氏名入力欄ＮＳに対して住所及び氏名が入力された後、送信ボタンＦＢが操作されたことを認識すると、シリアル番号、住所及び氏名をサーバ１１へ送信する。
【００４７】
その後、携帯電話機６のＣＰＵ４０は、サーバ１１からユーザ登録を完了した旨のメッセージを受信すると、ユーザ登録完了通知画面ＭＢＵ３をＬＣＤ１０に表示することにより、ユーザに対してユーザ登録が完了した旨を知らせ得るようになされている。
【００４８】
またＰＮＤ２のＣＰＵ２０は、ユーザ登録提供方法選択画面ＰＮＵ１のＱＲコードアイコンＳＩ２がユーザにタッチ操作されたことを認識すると、シリアル番号及びユーザ登録用ＵＲＬが含まれたユーザ登録画面データをＱＲコード変換部２９によりＱＲコードＣ１に変換し、当該ＱＲコードＣ１が付されたＱＲコード表示画面ＰＮＵ２をモニター４に表示するようになされている。
【００４９】
このとき携帯電話機６のＣＰＵ４０は、ユーザの指示に従って、ＱＲコード表示画面ＰＮＵ２のＱＲコードＣ１をカメラ部９により撮像した場合、ＱＲコード変換部４９により当該ＱＲコードＣ１をユーザ登録画面データに変換し、当該ユーザ登録画面データに対応したユーザ登録画面ＭＢＵ１をＬＣＤ１０に表示するようになされている。
【００５０】
この場合もユーザ登録提供方法選択画面ＰＮＵ１の送信アイコンＳＩ１がユーザにタッチ操作された場合と同様に、携帯電話機６のＣＰＵ４０は、ユーザ登録用ＵＲＬに従ってサーバ１１に接続すると、当該サーバ１１へシリアル番号を送信した後、サーバ１１から送信されたユーザ入力画面データを受信し、当該ユーザ入力画面データに対応したユーザ入力画面ＭＢＵ２をＬＣＤ１０に表示するようになされている。
【００５１】
携帯電話機６のＣＰＵ４０は、ユーザによりユーザ入力画面ＭＢＵ２の住所入力欄ＡＳ及び氏名入力欄ＮＳに対して住所及び氏名が入力された後、送信ボタンＦＢが操作されたことに応じて、シリアル番号、住所及び氏名をサーバ１１に送信し、当該サーバ１１から登録完了のメッセージを受信すると、ユーザ登録完了通知画面ＭＢＵ３をＬＣＤ１０に表示することにより、ユーザに対してユーザ登録が完了した旨を知らせ得るようになされている。
【００５２】
一方、ＰＮＤ２のＣＰＵ２０は、ユーザ登録提供方法選択画面ＰＮＵ１のメモリカードアイコンＳＩ３がユーザにタッチ操作されたことを認識すると、ＰＮＤ２のメモリカード装着部３０に装着されたメモリカードへシリアル番号及びユーザ登録用ＵＲＬが含まれたユーザ登録画面データを書き込むようになされている。
【００５３】
なおＰＮＤ２のＣＰＵ２０は、メモリカード装着部３０にメモリカードが装着されていない場合、モニター４にユーザ登録画面ＰＮＵ１を再び表示し、ユーザに対して送信アイコンＳＩ１、ＱＲコードアイコンＳＩ２及びメモリカードアイコンＳＩ３のいずれかを再び選択させるようになされている。
【００５４】
携帯電話機６のＣＰＵ４０は、メモリカード装着部４８にユーザによって装着されたメモリカードからユーザ登録画面データを読み込むことによりオフライン通信を行い、当該ユーザ登録画面データに対応したユーザ登録画面ＭＢＵ１をＬＣＤ１０に表示するようになされている。
【００５５】
この場合もユーザ登録提供方法選択画面ＰＮＵ１のＱＲコードアイコンＳＩ２がユーザにタッチ操作された場合と同様に、携帯電話機６のＣＰＵ４０は、ユーザ登録用ＵＲＬに従ってサーバ１１に接続すると、当該サーバ１１へシリアル番号を送信した後、サーバ１１から送信されたユーザ入力画面データを受信し、当該ユーザ入力画面データに対応したユーザ入力画面ＭＢＵ２をＬＣＤ１０に表示するようになされている。
【００５６】
携帯電話機６のＣＰＵ４０は、ユーザによりユーザ入力画面ＭＢＵ２の住所入力欄ＡＳ及び氏名入力欄ＮＳに対して住所及び氏名が入力された後、送信ボタンＦＢが操作されたことに応じて、シリアル番号、住所及び氏名をサーバ１１に送信し、当該サーバ１１から登録完了のメッセージを受信すると、ユーザ登録完了通知画面ＭＢＵ３をＬＣＤ１０に表示することにより、ユーザに対してユーザ登録が完了した旨を知らせ得るようになされている。
【００５７】
（３−２）プログラム更新モード
図５との対応部分に同一符号を付した図６に示すように、ＰＮＤ２のＣＰＵ２０は、メニュー画面ＰＮＭのプログラム更新アイコンＩＣ２がユーザにタッチ操作されたことを認識すると、不揮発性メモリ２１に格納されているシリアル番号（シリアルＮｏ．１２３４５６７８９０）及びプログラム更新用ＵＲＬ（http://www.new program）を読み出し、当該シリアル番号及び当該プログラム更新用ＵＲＬと、送信アイコンＳＩ１、ＱＲコードアイコンＳＩ２及びメモリカードアイコンＳＩ３とが配置されたプログラム更新提供方法選択画面ＰＮＰ１を生成し、モニター４に表示するようになされている。
【００５８】
ＰＮＤ２のＣＰＵ２０は、プログラム更新提供方法選択画面ＰＮＰ１の送信アイコンＳＩ１がユーザにタッチ操作されたことを認識すると、シリアル番号及びプログラム更新用ＵＲＬが含まれたプログラム更新画面データを無線通信ユニット２８を介して携帯電話機６へ送信するようになされている。
【００５９】
このとき携帯電話機６のＣＰＵ４０は、ＰＮＤ２から送信されたプログラム更新画面データを無線通信ユニット４７を介して受信し、当該プログラム更新画面データに対応したプログラム更新画面ＭＢＰ１をＬＣＤ１０に表示するようになされている。
【００６０】
携帯電話機６のＣＰＵ４０は、プログラム更新画面ＭＢＰ１中のプログラム更新用ＵＲＬに対するユーザ操作に応じて、プログラム更新用ＵＲＬに対応したサーバ１１に接続すると、そのサーバ１１へシリアル番号を送信する。
【００６１】
このときサーバ１１は、携帯電話機６から受信したシリアル番号がすでにユーザ登録されていたか否か判断し、当該シリアル番号がユーザ登録されている場合、更新プログラムを取得するためのプログラム取得画面データを携帯電話機６へ送信する。
【００６２】
携帯電話機６のＣＰＵ４０は、サーバ１１から送信されたプログラム取得画面データを受信すると、当該プログラム取得画面データに対応したプログラム取得画面ＭＢＰ２をＬＣＤ１０に表示するようになされている。
【００６３】
携帯電話機６のＣＰＵ４０は、プログラム取得画面ＭＢＰ２の取得ボタンＧＢがユーザにより操作されたことを認識すると、サーバ１１から更新プログラムを受信し、当該更新プログラムをＰＮＤ２へ転送する方法をユーザに選択させるための送信ボタンＲＢ１及びメモリカードボタンＲＢ２が配置された転送方法選択画面ＭＢＰ３を生成し、ＬＣＤ１０に表示するようになされている。
【００６４】
携帯電話機６のＣＰＵ４０は、転送方法選択画面ＭＢＰ３の送信ボタンＲＢ１がユーザにより操作されたことを認識すると、無線通信ユニット４７を介して更新プログラムをＰＮＤ２へ送信するようになされている。
【００６５】
ＰＮＤ２のＣＰＵ２０は、携帯電話機６から送信された更新プログラムを無線通信ユニット２８を介して受信すると、ユーザに対して更新プログラムが取得されたことを知らせ得るプログラム取得完了通知画面ＰＮＰ３をモニター４に表示するようになされている。
【００６６】
また携帯電話機６のＣＰＵ４０は、転送方法選択画面ＭＢＰ３のメモリカードボタンＲＢ２がユーザにより操作されたことを認識すると、メモリカード装着部４８に装着されたメモリカードへ更新プログラムを書き込むようになされている。
【００６７】
ＰＮＤ２のＣＰＵ２０は、メモリカード装着部４８にユーザによって装着されたメモリカードから更新プログラムを読み込むことによりオフライン通信を行い、プログラム取得完了通知画面ＰＮＰ３をモニター４に表示するようになされている。
【００６８】
因みにサーバ１１は、シリアル番号がユーザ登録されていない場合、ユーザ登録モード（図５）と同様のユーザ入力画面データを携帯電話機６へ送信する。
【００６９】
携帯電話機６のＣＰＵ４０は、サーバ１１からユーザ入力画面データを受信し、当該ユーザ入力画面データに対応したユーザ入力画面ＭＢＵ２をＬＣＤ１０に表示すると、ユーザに対してユーザ登録を行わせた後、プログラム取得画面ＭＢＰ２を表示するようになされている。
【００７０】
携帯電話機６のＣＰＵ４０は、サーバ１１から更新プログラムを受信すると、転送方法選択画面ＭＢＰ３をＬＣＤ１０に表示し、当該転送方法選択画面ＭＢＰ３の送信ボタンＲＢ１がユーザにより操作されたことを認識した場合、無線通信ユニット４７を介して更新プログラムをＰＮＤ２へ送信し、メモリカードボタンＲＢ２がユーザにより操作されたことを認識した場合、メモリカード装着部４８に装着されたメモリカードへ更新プログラムを書き込むようになされている。
【００７１】
ＰＮＤ２のＣＰＵ２０は、携帯電話機６から送信された更新プログラムを無線通信ユニット２８を介して受信する、又はメモリカード装着部３０に装着されたメモリカードから更新プログラムを読み込むことにより更新プログラムを取得し、プログラム取得完了通知画面ＰＮＰ３をモニター４に表示するようになされている。
【００７２】
またＰＮＤ２のＣＰＵ２０は、プログラム更新提供方法選択画面ＰＮＰ１のＱＲコードアイコンＳＩ２がユーザにタッチ操作されたことを認識すると、シリアル番号及びプログラム更新用ＵＲＬが含まれたプログラム更新画面データをＱＲコード変換部２９によりＱＲコードＣ２に変換し、当該ＱＲコードＣ２が付されたＱＲコード表示画面ＰＮＰ２をモニター４に表示するようになされている。
【００７３】
このとき携帯電話機６のＣＰＵ４０は、ユーザの指示に従って、ＱＲコード表示画面ＰＮＰ２のＱＲコードＣ２をカメラ部９により撮像した場合、ＱＲコード変換部４９により当該ＱＲコードＣ２をプログラム更新画面データに変換し、当該プログラム更新画面データに対応したプログラム更新画面ＭＢＰ１をＬＣＤ１０に表示するようになされている。
【００７４】
この場合もプログラム更新提供方法選択画面ＰＮＰ１の送信アイコンＳＩ１がユーザにタッチ操作された場合と同様に、携帯電話機６のＣＰＵ４０は、プログラム更新用ＵＲＬに従ってサーバ１１に接続すると、当該サーバ１１に対してシリアル番号を送信し、ユーザ登録を完了させた後、プログラム取得画面ＭＢＰ２をＬＣＤ１０に表示するようになされている。
【００７５】
携帯電話機６のＣＰＵ４０は、サーバ１１から更新プログラムを受信すると、転送方法選択画面ＭＢＰ３をＬＣＤ１０に表示し、当該転送方法選択画面ＭＢＰ３の送信ボタンＲＢ１がユーザにより操作されたことを認識した場合、無線通信ユニット４７を介して更新プログラムをＰＮＤ２へ送信し、メモリカードボタンＲＢ２がユーザにより操作されたことを認識した場合、メモリカード装着部４８に装着されたメモリカードへ更新プログラムを書き込むようになされている。
【００７６】
ＰＮＤ２のＣＰＵ２０は、携帯電話機６から送信された更新プログラムを無線通信ユニット２８を介して受信する、又はメモリカード装着部３０に装着されたメモリカードから更新プログラムを読み込むことにより更新プログラムを取得し、ユーザに対して更新プログラムが取得されたことを知らせ得るプログラム取得完了通知画面ＰＮＰ３をモニター４に表示するようになされている。
【００７７】
一方、ＰＮＤ２のＣＰＵ２０は、プログラム更新提供方法選択画面ＰＮＰ１のメモリカードアイコンＳＩ３がユーザにタッチ操作されたことを認識すると、シリアル番号及びプログラム更新用ＵＲＬが含まれたプログラム更新画面データをメモリカード装着部３０に装着されたメモリカードへ書き込むようになされている。
【００７８】
このとき携帯電話機６のＣＰＵ４０は、メモリカード装着部４８にユーザによって装着されたメモリカードからプログラム更新画面データを読み込むことによりオフライン通信を行い、当該プログラム更新画面データに対応したプログラム更新画面ＭＢＰ１をＬＣＤ１０に表示するようになされている。
【００７９】
この場合もプログラム更新提供方法選択画面ＰＮＰ１のＱＲコードアイコンＳＩ２がユーザにタッチ操作された場合と同様に、携帯電話機６のＣＰＵ４０は、プログラム更新用ＵＲＬに従ってサーバ１１に接続すると、当該サーバ１１に対してシリアル番号を送信し、ユーザ登録を完了させた後、プログラム取得画面ＭＢＰ２をＬＣＤ１０に表示するようになされている。
【００８０】
携帯電話機６のＣＰＵ４０は、サーバ１１から更新プログラムを受信すると、転送方法選択画面ＭＢＰ３をＬＣＤ１０に表示し、当該転送方法選択画面ＭＢＰ３の送信ボタンＲＢ１がユーザにより操作されたことを認識した場合、無線通信ユニット４７を介して更新プログラムをＰＮＤ２へ送信し、メモリカードボタンＲＢ２がユーザにより操作されたことを認識した場合、メモリカード装着部４８に装着されたメモリカードへ更新プログラムを書き込むようになされている。
【００８１】
ＰＮＤ２のＣＰＵ２０は、携帯電話機６から送信された更新プログラムを無線通信ユニット２８を介して受信する、又はメモリカード装着部３０に装着されたメモリカードから更新プログラムを読み込むことにより更新プログラムを取得し、ユーザに対して更新プログラムが取得されたことを知らせ得るプログラム取得完了通知画面ＰＮＰ３をモニター４に表示するようになされている。
【００８２】
（３−３）サイト情報入手モード
図６との対応部分に同一符号を付した図７に示すように、ＰＮＤ２のＣＰＵ２０は、メニュー画面ＰＮＭの商品関連サイトアイコンＩＣ３がユーザにタッチ操作されたことを認識すると、不揮発性メモリ２１に格納されているシリアル番号（シリアルＮｏ．１２３４５６７８９０）及び商品関連サイト用ＵＲＬ（http://www.relative site）を読み出し、当該シリアル番号及び当該商品関連サイト用ＵＲＬと、送信アイコンＳＩ１、ＱＲコードアイコンＳＩ２及びメモリカードアイコンＳＩ３とが配置された商品関連サイト提供方法選択画面ＰＮＲ１を生成し、モニター４に表示するようになされている。
【００８３】
ＰＮＤ２のＣＰＵ２０は、商品関連サイト提供方法選択画面ＰＮＲ１の送信アイコンＳＩ１がユーザにタッチ操作されたことを認識すると、シリアル番号及び商品関連サイト用ＵＲＬが含まれた商品関連サイト画面データを無線通信ユニット２８を介して携帯電話機６へ送信するようになされている。
【００８４】
このとき携帯電話機６のＣＰＵ４０は、ＰＮＤ２から送信された商品関連サイト画面データを無線通信ユニット４７を介して受信し、当該商品関連サイト画面データに対応した商品関連サイト画面ＭＢＲ１をＬＣＤ１０に表示するようになされている。
【００８５】
携帯電話機６のＣＰＵ４０は、商品関連サイト画面ＭＢＲ１中の商品関連サイト用ＵＲＬに対するユーザ操作に応じて、商品関連サイト用ＵＲＬに対応したサーバ１１に接続すると、そのサーバ１１へシリアル番号を送信する。
【００８６】
このときサーバ１１は、携帯電話機６から受信したシリアル番号がすでにユーザ登録されていたか否か判断し、当該シリアル番号がユーザ登録されている場合、ＰＮＤ２に関連した商品情報が含まれた商品画面データを送信する。
【００８７】
携帯電話機６のＣＰＵ４０は、サーバ１１から商品画面データを受信すると、当該商品画面データに対応した商品画面ＭＢＲ２（この場合、一例として「ＰＮＤ２に関連したカーオーディオ装置」とする。）をＬＣＤ１０に表示するようになされている。
【００８８】
因みにサーバ１１は、シリアル番号がユーザ登録されていない場合、ユーザ登録モード（図５）と同様のユーザ入力画面データを携帯電話機６へ送信する。
【００８９】
携帯電話機６のＣＰＵ４０は、サーバ１１からユーザ入力画面データを受信し、当該ユーザ入力画面データに対応したユーザ入力画面ＭＢＵ２をＬＣＤ１０に表示すると、ユーザに対してユーザ登録を行わせた後、商品画面ＭＢＲ２をＬＣＤ１０に表示するようになされている。
【００９０】
またＰＮＤ２のＣＰＵ２０は、商品関連サイト提供方法選択画面ＰＮＲ１のＱＲコードアイコンＳＩ２がユーザにタッチ操作されたことを認識すると、シリアル番号及び商品関連サイト用ＵＲＬが含まれた商品関連サイト画面データをＱＲコード変換部２９によりＱＲコードＣ３に変換し、当該ＱＲコードＣ３が付されたＱＲコード表示画面ＰＮＲ２をモニター４に表示するようになされている。
【００９１】
このとき携帯電話機６のＣＰＵ４０は、ユーザの指示に従って、ＱＲコード表示画面ＰＮＲ２のＱＲコードＣ３をカメラ部９により撮像した場合、ＱＲコード変換部４９により当該ＱＲコードＣ３を商品関連サイト画面データに変換し、当該商品関連サイト画面データに対応した商品関連サイト画面ＭＢＲ１をＬＣＤ１０に表示するようになされている。
【００９２】
この場合も商品関連サイト提供方法選択画面ＰＮＲ１の送信アイコンＳＩ１がユーザにタッチ操作された場合と同様に、携帯電話機６のＣＰＵ４０は、商品関連サイト用ＵＲＬに従ってサーバ１１に接続すると、当該サーバ１１へシリアル番号を送信し、ユーザ登録を完了させた後、当該サーバ１１から商品画面データを受信し、当該商品画面データに対応した商品画面ＭＢＲ２をＬＣＤ１０に表示するようになされている。
【００９３】
一方、ＰＮＤ２のＣＰＵ２０は、商品関連サイト提供方法選択画面ＰＮＲ１のメモリカードアイコンＳＩ３がユーザにタッチ操作されたことを認識すると、シリアル番号及び商品関連サイト用ＵＲＬが含まれた商品関連サイト画面データをメモリカード装着部３０に装着されたメモリカードへ書き込むようになされている。
【００９４】
このとき携帯電話機６のＣＰＵ４０は、メモリカード装着部４８にユーザによって装着されたメモリカードから商品関連サイト画面データを読み込むことによりオフライン通信を行い、当該商品関連サイト画面データに対応した商品関連サイト画面ＭＢＲ１をＬＣＤ１０に表示するようになされている。
【００９５】
この場合も商品関連サイト提供方法選択画面ＰＮＲ１のＱＲコードアイコンＳＩ２がユーザにタッチ操作された場合と同様に、携帯電話機６のＣＰＵ４０は、商品関連サイト用ＵＲＬに従ってサーバ１１に接続すると、当該サーバ１１へシリアル番号を送信し、ユーザ登録を完了させた後、当該サーバ１１から商品画面データを受信し、当該商品画面データに対応した商品画面ＭＢＲ２をＬＣＤ１０に表示するようになされている。
【００９６】
（３−４）案内モード
図６との対応部分に同一符号を付した図８に示すように、ＰＮＤ２のＣＰＵ２０は、メニュー画面ＰＮＭの修理対応店・サービスステーション案内アイコンＩＣ４がユーザにタッチ操作されたことを認識すると、不揮発性メモリ２１に格納されているシリアル番号（シリアルＮｏ．１２３４５６７８９０）及び案内用ＵＲＬ（http://www.service station）を読み出し、当該シリアル番号及び案内用ＵＲＬと、ＧＰＳユニット２３から供給されたＧＰＳ情報（この場合、一例として「○○県△△市××町」とする。）と、送信アイコンＳＩ１、ＱＲコードアイコンＳＩ２及びメモリカードアイコンＳＩ３とが配置された案内提供方法選択画面ＰＮＳ１を生成し、モニター４に表示するようになされている。
【００９７】
ＰＮＤ２のＣＰＵ２０は、案内提供方法選択画面ＰＮＳ１の送信アイコンＳＩ１がユーザにタッチ操作されたことを認識すると、シリアル番号、案内用ＵＲＬ及びＧＰＳ情報が含まれた案内画面データを無線通信ユニット２８を介して携帯電話機６へ送信する。
【００９８】
このとき携帯電話機６のＣＰＵ４０は、案内画面データを無線通信ユニット４７を介して受信し、当該案内画面データに対応した案内画面ＭＢＳ１をＬＣＤ１０に表示するようになされている。
【００９９】
携帯電話機６のＣＰＵ４０は、案内画面ＭＢＳ１中の案内用ＵＲＬに対するユーザ操作に応じて、案内用ＵＲＬに対応したサーバ１１に接続すると、そのサーバ１１へシリアル番号及びＧＰＳ情報を送信する。
【０１００】
このときサーバ１１は、携帯電話機６から受信したシリアル番号がすでにユーザ登録されていたか否かを判断し、当該シリアル番号がユーザ登録されている場合、例えば１０ｋｍ以内に存在する修理対応店又はサービスステーションの施設情報と、現在地から修理対応店又はサービスステーションまでの距離情報とが含まれた施設選択画面データを携帯電話機６へ送信する。
【０１０１】
携帯電話機６のＣＰＵ４０は、サーバ１１から送信された施設選択画面データを受信すると、当該施設選択画面データに対応した施設選択画面ＭＢＳ２をＬＣＤ１０に表示するようになされている。
【０１０２】
携帯電話機６のＣＰＵ４０は、ユーザにより施設選択画面ＭＢＳ２に表示された例えば施設アイコンＡＣ１（「○○店」）が選択されると、当該施設アイコンＡＣ１に対応した○○店の施設情報をＰＮＤ２へ転送する方法をユーザに選択させるための送信ボタンＲＢ１及びメモリカードボタンＲＢ２が配置された転送方法選択画面ＭＢＳ３をＬＣＤ１０に表示するようになされている。
【０１０３】
携帯電話機６のＣＰＵ４０は、転送方法選択画面ＭＢＳ３の送信ボタンＲＢ１がユーザにより操作されたことを認識すると、無線通信ユニット４７を介して○○店の施設情報をＰＮＤ２へ送信するようになされている。
【０１０４】
ＰＮＤ２のＣＰＵ２０は、携帯電話機６から送信された○○店の施設情報を無線ユニット２８を介して受信すると、当該施設情報に含まれた緯度及び経度から地図画像上の○○店を目的地として設定し、現在地から○○店までの到達経路等を探索し、その到達経路を表した目的地案内画面ＰＮＳ３をモニター４に表示し得るようになされている。
【０１０５】
なおＰＮＤ２は、携帯電話機６から送信された○○店の施設情報をＰＯＩに登録し、不揮発性メモリ２１へ格納し得るようになされている。
【０１０６】
また携帯電話機６のＣＰＵ４０は、転送方法選択画面ＭＢＳ３のメモリカードボタンＲＢ２がユーザにより操作されたことを認識すると、メモリカード装着部３０に装着されたメモリカードへ○○店の施設情報を書き込むようになされている。
【０１０７】
ＰＮＤ２のＣＰＵ２０は、携帯電話機６から送信された○○店の施設情報を無線通信ユニット２８を介して受信すると、当該施設情報に含まれた緯度及び経度から地図画像上の○○店を目的地として設定し、現在地から○○店までの到達経路等を探索し、その到達経路を表した目的地案内画面ＰＮＳ３をモニター４に表示し得るようになされている。
【０１０８】
因みにサーバ１１は、シリアル番号がユーザ登録されていない場合、ユーザ登録モード（図５）と同様のユーザ入力画面データを携帯電話機６へ送信する。
【０１０９】
携帯電話機６のＣＰＵ４０は、サーバ１１からユーザ入力画面データを受信し、当該ユーザ入力画面データに対応したユーザ入力画面ＭＢＵ２をＬＣＤ１０に表示すると、ユーザに対してユーザ登録を行わせた後、施設選択画面ＭＢＳ２をＬＣＤ１０に表示するようになされている。
【０１１０】
携帯電話機６のＣＰＵ４０は、施設選択画面ＭＢＳ２の施設アイコンＡＣ１が選択されると、転送方法選択画面ＭＢＳ３を表示し、転送方法選択画面ＭＢＳ３の送信ボタンＲＢ１がユーザにより操作されたことを認識した場合、無線通信ユニット４７を介して○○店の施設情報をＰＮＤ２へ送信し、メモリカードボタンＲＢ２がユーザにより操作されたことを認識した場合、メモリカード装着部４８に装着されたメモリカードへ○○店の施設情報を書き込むようになされている。
【０１１１】
ＰＮＤ２のＣＰＵ２０は、携帯電話機６から送信された○○店の施設情報を受信する、又はメモリカード装着部３０に装着されたメモリカードから○○店の施設情報を読み込むことにより当該施設情報を取得し、目的地案内画面ＰＮＳ３をモニター４に表示し得るようになされている。
【０１１２】
またＰＮＤ２のＣＰＵ２０は、案内提供方法選択画面ＰＮＳ１のＱＲコードアイコンＳＩ２がユーザにタッチ操作されたことを認識すると、シリアル番号、案内用ＵＲＬ及びＧＰＳ情報が含まれた案内画面データをＱＲコード変換部２９によりＱＲコードＣ４に変換し、当該ＱＲコードＣ４が付されたＱＲコード表示画面ＰＮＳ２をモニター４に表示するようになされている。
【０１１３】
このとき携帯電話機６のＣＰＵ４０は、ユーザの指示に従って、ＱＲコード画面ＰＮＳ２のＱＲコードＣ４をカメラ部９により撮像した場合、ＱＲコード変換部４９により当該ＱＲコードＣ４を案内画面データに変換し、当該案内画面データに対応した案内画面ＭＢＳ１をＬＣＤ１０に表示するようになされている。
【０１１４】
この場合も案内提供方法選択画面ＰＮＳ１の送信アイコンＳＩ１がユーザにタッチ操作された場合と同様に、携帯電話機６のＣＰＵ４０は、案内用ＵＲＬに従ってサーバ１１に接続すると、当該サーバ１１にシリアル番号及びＧＰＳ情報を送信し、ユーザ登録を完了させた後、施設選択画面ＭＢＳ２をＬＣＤ１０に表示するようになされている。
【０１１５】
携帯電話機６のＣＰＵ４０は、施設選択画面ＭＢＳ２の施設アイコンＡＣ１が選択されると、転送方法選択画面ＭＢＳ３を表示し、当該転送方法選択画面ＭＢＳ３の送信ボタンＲＢ１がユーザにより操作されたことを認識した場合、無線通信ユニット４７を介して○○店の施設情報をＰＮＤ２へ送信し、メモリカードボタンＲＢ２がユーザにより操作されたことを認識した場合、メモリカード装着部４８に装着されたメモリカードへ○○店の施設情報を書き込むようになされている。
【０１１６】
ＰＮＤ２のＣＰＵ２０は、携帯電話機６から送信された○○店の施設情報を無線通信ユニット２８を介して受信する、又はメモリカード装着部３０に装着されたメモリカードから○○店の施設情報を読み込むことにより当該施設情報を取得し、目的地案内画面ＰＮＳ３をモニター４に表示し得るようになされている。
【０１１７】
一方、ＰＮＤ２のＣＰＵ２０は、案内提供方法選択画面ＰＮＳ１のメモリカードアイコンＳＩ３がユーザにタッチ操作されたことを認識すると、シリアル番号、案内用ＵＲＬ及びＧＰＳ情報が含まれた案内画面データをメモリカード装着部３０に装着されたメモリカードへ書き込むようになされている。
【０１１８】
このとき携帯電話機６のＣＰＵ４０は、メモリカード装着部４８にユーザによって装着されたメモリカードから案内画面データを読み込むことによりオフライン通信を行い、当該案内画面データに対応した案内画面ＭＢＳ１をＬＣＤ１０に表示するようになされている。
【０１１９】
この場合も案内提供方法選択画面ＰＮＳ１のＱＲコードアイコンＳＩ２がユーザにタッチ操作された場合と同様に、携帯電話機６のＣＰＵ４０は、案内用ＵＲＬに従ってサーバ１１に接続すると、当該サーバ１１にシリアル番号及びＧＰＳ情報を送信し、ユーザ登録を完了させた後、施設選択画面ＭＢＳ２をＬＣＤ１０に表示するようになされている。
【０１２０】
携帯電話機６のＣＰＵ４０は、施設選択画面ＭＢＳ２の施設アイコンＡＣ１が選択されると、転送方法選択画面ＭＢＳ３を表示し、当該転送方法選択画面ＭＢＳ３の送信ボタンＲＢ１がユーザにより操作されたことを認識した場合、無線通信ユニット４７を介して○○店の施設情報をＰＮＤ２へ送信し、メモリカードボタンＲＢ２がユーザにより操作されたことを認識した場合、メモリカード装着部４８に装着されたメモリカードへ○○店の施設情報を書き込むようになされている。
【０１２１】
ＰＮＤ２のＣＰＵ２０は、携帯電話機６から送信された○○店の施設情報を受信する、又はメモリカード装着部３０に装着されたメモリカードから○○店の施設情報を読み込むことにより当該施設情報を取得し、目的地案内画面ＰＮＳ３をモニター４に表示し得るようになされている。
【０１２２】
（３−５）エラー対応モード
図６との対応部分に同一符号を付した図９に示すように、ＰＮＤ２のＣＰＵ２０は、当該ＰＮＤ２に何らかの不具合が発生した場合、その不具合に対応した例えば「ＸＹＺ−１２３」と表されたエラーコードが含まれたエラーコード表示画面ＰＮＥ１をモニター４に表示するようになされている。
【０１２３】
ＰＮＤ２のＣＰＵ２０は、モニター４に表示したエラーコード表示画面ＰＮＥ１がユーザによりタッチ操作されたことを認識すると、不揮発性メモリ２１に格納されているシリアル番号（シリアルＮｏ．１２３４５６７８９０）及びエラー対応用ＵＲＬ（http://www.user support）を読み出し、当該シリアル番号及び当該エラー対応用ＵＲＬと、エラーコード表示画面ＰＮＥ１に表示されたエラーコードと、送信アイコンＳＩ１、ＱＲコードアイコンＳＩ２及びメモリカードアイコンＳＩ３とが配置されたエラーコード対応提供方法選択画面ＰＮＥ２を生成し、モニター４に表示するようになされている。
【０１２４】
ＰＮＤ２のＣＰＵ２０は、エラーコード対応提供方法選択画面ＰＮＥ２の送信アイコンＳＩ１がユーザにタッチ操作されたことを認識すると、シリアル番号、エラーコード及びエラー対応用ＵＲＬが含まれたエラーコード対応画面データを無線通信ユニット２８を介して携帯電話機６へ送信するようになされている。
【０１２５】
このとき携帯電話機６のＣＰＵ４０は、ＰＮＤ２から送信されたエラーコード対応画面データを無線通信ユニット４７を介して受信し、当該エラーコード対応画面データに対応したエラーコード対応画面ＭＢＥ１をＬＣＤ１０に表示するようになされている。
【０１２６】
携帯電話機６のＣＰＵ４０は、エラー対応用ＵＲＬに対するユーザ操作に応じて、エラー対応用ＵＲＬに対応したサーバ１１に接続すると、そのサーバ１１へシリアル番号及びエラーコードを送信する。
【０１２７】
このときサーバ１１は、携帯電話機６から受信したシリアル番号がすでにユーザ登録されていたか否か判断し、当該シリアル番号がユーザ登録されている場合、シリアル番号、エラーコード、当該エラーコードに対応したエラー概要及び対処方法が含まれたエラー対処画面データを送信する。
【０１２８】
携帯電話機６のＣＰＵ４０は、サーバ１１から送信されたエラー対処画面データを受信すると、当該エラー対処画面データに対応したエラー対処画面ＭＢＥ２をＬＣＤ１０に表示するようになされている。
【０１２９】
因みにサーバ１１は、シリアル番号がユーザ登録されていない場合、ユーザ登録モード（図５）と同様のユーザ入力画面データを携帯電話機６へ送信する。
【０１３０】
携帯電話機６のＣＰＵ４０は、サーバ１１からユーザ入力画面データを受信し、当該ユーザ入力画面データに対応したユーザ入力画面ＭＢＵ２をＬＣＤ１０に表示すると、ユーザに対してユーザ登録を行わせた後、エラー対処画面ＭＢＥ２をＬＣＤ１０に表示するようになされている。
【０１３１】
またＰＮＤ２のＣＰＵ２０は、エラーコード対応提供方法選択画面ＰＮＥ２のＱＲコードアイコンＳＩ２がユーザにタッチ操作されたことを認識すると、シリアル番号、エラーコード及びエラー対応用ＵＲＬが含まれたエラーコード対応画面データをＱＲコード変換部２９でＱＲコードＣ５に変換し、当該ＱＲコードＣ５が付されたＱＲコード表示画面ＰＮＥ３をモニター４に表示するようになされている。
【０１３２】
このとき携帯電話機６のＣＰＵ４０は、ユーザの指示に従って、ＱＲコード表示画面ＰＮＥ３のＱＲコードＣ５をカメラ部９により撮像した場合、ＱＲコード変換部４９により当該ＱＲコードＣ５をエラーコード対応画面データに変換し、当該エラーコード対応画面データに対応したエラーコード対応画面ＭＢＥ１をＬＣＤ１０に表示するようになされている。
【０１３３】
この場合もエラーコード対応提供方法選択画面ＰＮＥ２の送信アイコンＳＩ１がユーザにタッチ操作された場合と同様に、携帯電話機６のＣＰＵ４０は、エラー対応用ＵＲＬに従ってサーバ１１に接続すると、当該サーバ１１へシリアル番号及びエラーコードを送信し、ユーザ登録を完了させた後、当該サーバ１１からエラー対処画面データを受信し、当該エラー対処画面データに対応したエラー対処画面ＭＢＥ２をＬＣＤ１０に表示するようになされている。
【０１３４】
一方、ＰＮＤ２のＣＰＵ２０は、エラーコード対応提供方法選択画面ＰＮＥ２のメモリカードアイコンＳＩ３がユーザにタッチ操作されたことを認識すると、シリアル番号、エラーコード及びエラー対応用ＵＲＬが含まれたエラーコード対応画面データをメモリカード装着部３０に装着されたメモリカードへ書き込むようになされている。
【０１３５】
このとき携帯電話機６のＣＰＵ４０は、メモリカード装着部４８に装着されたメモリカードからエラーコード対応画面データを読み込み、当該エラーコード対応画面データに対応したエラーコード対応画面ＭＢＥ１をＬＣＤ１０に表示するようになされている。
【０１３６】
この場合もエラーコード対応提供方法選択画面ＰＮＥ２のＱＲコードアイコンＳＩ２がユーザにタッチ操作された場合と同様に、携帯電話機６のＣＰＵ４０は、エラー対応用ＵＲＬに従ってサーバ１１に接続すると、当該サーバ１１へシリアル番号及びエラーコードを送信し、ユーザ登録を完了させた後、当該サーバ１１からエラー対処画面データを受信し、当該エラー対処画面データに対応したエラー対処画面ＭＢＥ２をＬＣＤ１０に表示するようになされている。
【０１３７】
（４）情報提供取得処理手順
次に上述したユーザ登録モード、プログラム更新モード、サイト情報入手モード及び案内モードにそれぞれ対応したＰＮＤ２の情報提供処理手順、エラー対応モードに対応したＰＮＤ２のエラー対応処理手順、これら各モードにそれぞれ対応した携帯電話機６の情報取得提供処理手順について順に説明する。
【０１３８】
（４−１）情報提供処理手順
図１０に示すように、ＰＮＤ２のＣＰＵ２０は、アプリケーションプログラムに従い、ルーチンＲＴ１の開始ステップから入ってステップＳＰ１へ移り、ユーザ登録モード（図５）において、メニュー画面ＰＮＭのユーザ登録アイコンＩＣ１がユーザによりタッチ操作されたことに従い、不揮発性メモリ２１に格納されているシリアル番号及びユーザ登録用ＵＲＬを読み出し、当該シリアル番号及び当該ユーザ登録用ＵＲＬと、送信アイコンＳＩ１、ＱＲコードアイコンＳＩ２及びメモリカードアイコンＳＩ３とが配置されたユーザ登録提供方法選択画面ＰＮＵ１を生成し、モニター４に表示して次のステップＳＰ２へ移る。
【０１３９】
またプログラム更新モード（図６）の場合、ステップＳＰ１においてＰＮＤ２のＣＰＵ２０は、メニュー画面ＰＮＭのプログラム更新アイコンＩＣ２がユーザによりタッチ操作されたことに従い、不揮発性メモリ２１に格納されているシリアル番号及びプログラム更新用ＵＲＬを読み出し、当該シリアル番号及び当該プログラム更新用ＵＲＬと、送信アイコンＳＩ１、ＱＲコードアイコンＳＩ２及びメモリカードアイコンＳＩ３とが配置されたプログラム更新提供方法選択画面ＰＮＰ１を生成し、モニター４に表示して次のステップＳＰ２へ移る。
【０１４０】
一方サイト情報入手モード（図７）の場合、ステップＳＰ１においてＰＮＤ２のＣＰＵ２０は、メニュー画面ＰＮＭの商品関連サイトアイコンＩＣ３がユーザによりタッチ操作されたことに従い、不揮発性メモリ２１に格納されているシリアル番号及び商品関連サイト用ＵＲＬを読み出し、当該シリアル番号及び当該商品関連サイト用ＵＲＬと、送信アイコンＳＩ１、ＱＲコードアイコンＳＩ２及びメモリカードアイコンＳＩ３とが配置された商品関連サイト提供方法選択画面ＰＮＲ１を生成し、モニター４に表示して次のステップＳＰ２へ移る。
【０１４１】
但し案内モード（図８）の場合、ステップＳＰ１においてＰＮＤ２のＣＰＵ２０は、不揮発性メモリ２１に格納されているシリアル番号及び案内用ＵＲＬを読み出し、当該シリアル番号及び当該案内用ＵＲＬと、ＧＰＳユニット２３から供給されたＧＰＳ情報と、送信アイコンＳＩ１、ＱＲコードアイコンＳＩ２及びメモリカードアイコンＳＩ３とが配置された案内提供方法選択画面ＰＮＳ１を生成し、モニター４に表示して次のステップＳＰ２へ移る。
【０１４２】
ステップＳＰ２においてＰＮＤ２のＣＰＵ２０は、モニター４に表示したユーザ登録提供方法選択画面ＰＮＵ１（図５）、プログラム更新提供方法選択画面ＰＮＰ１（図６）、商品関連サイト提供方法選択画面ＰＮＲ１（図７）、又は案内提供方法選択画面ＰＮＳ１（図８）の送信アイコンＳＩ１がユーザにタッチ操作されたか否かを判断し、肯定結果が得られると次のステップＳＰ３へ移り、否定結果が得られるとステップＳＰ４へ移る。
【０１４３】
ステップＳＰ３においてＰＮＤ２のＣＰＵ２０は、ユーザ登録モード（図５）においてシリアル番号及びユーザ登録用ＵＲＬが含まれたユーザ登録画面データ、プログラム更新モード（図６）においてシリアル番号及びプログラム更新用ＵＲＬが含まれたプログラム更新画面データ、サイト情報入手モード（図７）においてシリアル番号及び商品関連サイト用ＵＲＬが含まれた商品関連サイト画面データ、又は案内モード（図８）においてシリアル番号、案内用ＵＲＬ及びＧＰＳ情報が含まれた案内画面データを無線通信ユニット２８を介して携帯電話機６へ送信し、次のステップＳＰ８へ移って処理を終了する。
【０１４４】
ステップＳＰ４においてＰＮＤ２のＣＰＵ２０は、モニター４に表示したユーザ登録提供方法選択画面ＰＮＵ１（図５）、プログラム更新提供方法選択画面ＰＮＰ１（図６）、商品関連サイト提供方法選択画面ＰＮＲ１（図７）、又は案内提供方法選択画面ＰＮＳ１（図８）のＱＲコードアイコンＳＩ２がユーザにタッチ操作されたか否かを判断し、肯定結果が得られると次のステップＳＰ５へ移り、否定結果が得られるとステップＳＰ６へ移る。
【０１４５】
ステップＳＰ５においてＰＮＤ２のＣＰＵ２０は、ＱＲコード変換部２９によりユーザ登録画面データをＱＲコードＣ１、プログラム更新画面データをＱＲコードＣ２、商品関連サイト画面データをＱＲコードＣ３、又は案内画面データをＱＲコードＣ４にそれぞれ変換し、当該ＱＲコードＣ１が付されたＱＲコード表示画面ＰＮＵ２（図５）、当該ＱＲコードＣ２が付されたＱＲコード画面表示ＰＮＰ２（図６）、当該ＱＲコードＣ３が付されたＱＲコード表示画面ＰＮＲ２（図７）、又は当該ＱＲコードＣ４が付されたＱＲコード表示画面ＰＮＳ２（図８）をそれぞれモニター4に表示し、次のステップＳＰ８へ移って処理を終了する。
【０１４６】
ステップＳＰ６においてＰＮＤ２のＣＰＵ２０は、モニター４に表示したユーザ登録提供方法選択画面ＰＮＵ１（図５）、プログラム更新提供方法選択画面ＰＮＰ１（図６）、商品関連サイト提供方法選択画面ＰＮＲ１（図７）、又は案内提供方法選択画面ＰＮＳ１（図８）のメモリカードアイコンＳＩ３がユーザによりタッチ操作されたか否かを判断し、肯定結果が得られると次のステップＳＰ７へ移り、否定結果が得られると、このことは送信アイコンＳＩ１、ＱＲコードアイコンＳＩ２又はメモリカードアイコンＳＩ３のいずれもタッチ操作されていないことを意味し、ステップＳＰ２へ戻りユーザによる送信アイコンＳＩ１、ＱＲコードアイコンＳＩ２又はメモリカードアイコンＳＩ３のいずれかがタッチ操作されるまで待ち受ける。
【０１４７】
ステップＳＰ７においてＰＮＤ２のＣＰＵ２０は、メモリカード装着部３０に装着されたメモリカードへユーザ登録画面データ、プログラム更新画面データ、商品関連サイト画面データ又は案内画面データを書き込み、次のステップＳＰ８へ移って処理を終了する。
【０１４８】
（４−２）エラー対応処理手順
図１１に示すように、ＰＮＤ２のＣＰＵ２０は、アプリケーションプログラムに従い、ルーチンＲＴ２の開始ステップから入ってステップＳＰ１１へ移り、ＰＮＤ２に何らかの不具合が発生したか否かを判断し、否定結果が得られると再度ステップＳＰ１１へ戻り、不具合が発生したことを判断するまで待ち受けるのに対し、肯定結果が得られると次のステップＳＰ１２へ移る。
【０１４９】
ステップＳＰ１２においてＰＮＤ２のＣＰＵ２０は、不具合に対応したエラーコードが含まれたエラーコード表示画面ＰＮＥ１（図９）をモニター４に表示し、次のステップＳＰ１３へ移る。
【０１５０】
ステップＳＰ１３においてＰＮＤ２のＣＰＵ２０は、ユーザによりエラーコード表示画面ＰＮＥ１がタッチ操作されたか否かを判断し、肯定結果が得られると、このことはエラーコードを携帯電話機６へ受け渡すことを意味し、次のステップＳＰ１４へ移り、否定結果が得られるとステップＳＰ２１へ移って処理を終了する。
【０１５１】
ステップＳＰ１４においてＰＮＤ２のＣＰＵ２０は、不揮発性メモリ２１に格納されているシリアル番号及びエラー対応用ＵＲＬを読み出し、当該シリアル番号及び当該エラー対応用ＵＲＬと、エラーコード表示画面ＰＮＥ１に表示されたエラーコードと、送信アイコンＳＩ１、ＱＲコードアイコンＳＩ２及びメモリカードアイコンＳＩ３とが配置されたエラーコード対応提供方法選択画面ＰＮＥ２を生成し、モニター４に表示して次のステップＳＰ１５へ移る。
【０１５２】
ステップＳＰ１５においてＰＮＤ２のＣＰＵ２０は、モニター４に表示したエラーコード対応提供方法選択画面ＰＮＥ２の送信アイコンＳＩ１がユーザにタッチ操作されたか否かを判断し、肯定結果が得られると次のステップＳＰ１６へ移り、否定結果が得られるとステップＳＰ１７へ移る。
【０１５３】
ステップＳＰ１６においてＰＮＤ２のＣＰＵ２０は、シリアル番号、エラー対応用ＵＲＬ及びエラーコードが含まれたエラーコード対応画面データを無線通信ユニット２８を介して携帯電話機６へ送信し、次のステップＳＰ２１へ移って処理を終了する。
【０１５４】
ステップＳＰ１７においてＰＮＤ２のＣＰＵ２０は、モニター４に表示したエラーコード対応提供方法選択画面ＰＮＥ２のＱＲコードアイコンＳＩ２がユーザにタッチ操作されたか否かを判断し、肯定結果が得られると次のステップＳＰ１８へ移り、否定結果が得られるとステップＳＰ１９へ移る。
【０１５５】
ステップＳＰ１８においてＰＮＤ２のＣＰＵ２０は、エラーコード対応画面データをＱＲコード変換部２９によりＱＲコードＣ５に変換し、当該ＱＲコードＣ５が付されたＱＲコード表示画面ＰＮＥ３をモニター４に表示し、次のステップＳＰ２１へ移って処理を終了する。
【０１５６】
ステップＳＰ１９においてＰＮＤ２のＣＰＵ２０は、モニター４に表示したエラーコード対応提供方法選択画面ＰＮＥ２のメモリカードアイコンＳＩ３がユーザにタッチ操作されたか否かを判断し、肯定結果が得られると次のステップＳＰ２０へ移り、否定結果が得られると、このことはエラーコード対応提供方法選択画面ＰＮＥ２の送信アイコンＳＩ１、ＱＲコードアイコンＳＩ２又はメモリカードアイコンＳＩ３のいずれもタッチ操作されていないことを意味し、ステップＳＰ１５へ戻りユーザによるエラーコード対応提供方法選択画面ＰＮＥ２の送信アイコンＳＩ１、ＱＲコードアイコンＳＩ２又はメモリカードアイコンＳＩ３のいずれかがタッチ操作されるまで待ち受ける。
【０１５７】
ステップＳＰ２０においてＰＮＤ２のＣＰＵ２０は、メモリカード装着部３０に装着されたメモリカードへエラーコード対応画面データを書き込み、次のステップＳＰ２１へ移って処理を終了する。
【０１５８】
（４−３）情報取得提供処理手順
図１２に示すように、携帯電話機６のＣＰＵ４０は、アプリケーションプログラムに従い、ルーチンＲＴ３の開始ステップから入ってステップＳＰ３１へ移り、ユーザにより無線受信する操作がなされたか否かを判断し、肯定結果が得られると次のステップＳＰ３２へ移り、否定結果が得られるとステップＳＰ３３へ移る。
【０１５９】
ステップＳＰ３２において携帯電話機６のＣＰＵ４０は、無線通信ユニット４７を介してＰＮＤ２から送信されたユーザ登録画面データ、プログラム更新画面データ、商品関連サイト画面データ、案内画面データ又はエラーコード対応画面データのいずれかを受信し、次のステップＳＰ３７へ移る。
【０１６０】
ステップＳＰ３３において携帯電話機６のＣＰＵ４０は、ユーザの指示に従って、ＰＮＤ２のモニター４に表示されたＱＲコードＣ１、ＱＲコードＣ２、ＱＲコードＣ３、ＱＲコードＣ４又はＱＲコードＣ５のいずれかをカメラ部９により撮像したか否かを判断し、肯定結果が得られると次のステップＳＰ３４へ移り、否定結果が得られるとステップＳＰ３５へ移る。
【０１６１】
ステップＳＰ３４において携帯電話機６のＣＰＵ４０は、カメラ部９によって撮像したＱＲコードＣ１、ＱＲコードＣ２、ＱＲコードＣ３、ＱＲコードＣ４又はＱＲコードＣ５をそれぞれユーザ登録画面データ、プログラム更新画面データ、商品関連サイト画面データ、案内画面データ又はエラーコード対応画面データにＱＲコード変換部４９により変換して次のステップＳＰ３７へ移る。
【０１６２】
ステップＳＰ３５において携帯電話機６のＣＰＵ４０は、ユーザによりメモリカードを読み込む操作がなされたか否かの判断をし、肯定結果が得られると次のステップＳＰ３６へ移り、否定結果が得られると、このことはＰＮＤ２から情報を取得する操作が行われていないことを意味し、ステップＳＰ３１へ戻り、ユーザによる情報取得操作を認識するまで待ち受ける。
【０１６３】
ステップＳＰ３６において携帯電話機６のＣＰＵ４０は、メモリカード装着部４８に装着されたメモリカードからユーザ登録画面データ、プログラム更新画面データ、商品関連サイト画面データ、案内画面データ又はエラーコード対応画面データを読み出し、次のステップＳＰ３７へ移る。
【０１６４】
ステップＳＰ３７において携帯電話機６のＣＰＵ４０は、ＰＮＤ２から提供されたユーザ登録画面データに対応したユーザ登録画面ＭＢＵ１（図５）、プログラム更新画面データに対応したプログラム更新画面（図６）、商品関連サイト画面データに対応した商品関連サイト画面（図７）、案内画面データに対応した案内画面（図８）又はエラーコード対応画面データに対応したエラーコード対応画面（図９）をＬＣＤ１０に表示し、次のステップＳＰ３８へ移る。
【０１６５】
ステップＳＰ３８において携帯電話機６のＣＰＵ４０は、ＬＣＤ１０に表示したユーザ登録用ＵＲＬ、プログラム更新用ＵＲＬ、商品関連用ＵＲＬ、案内用ＵＲＬ又はエラー対応用ＵＲＬに対応したサーバ１１へ接続する操作が行われたか否かを判断し、肯定結果が得られると次のステップＳＰ３９へ移り、否定結果が得られるとステップＳＰ４６へ移って処理を終了する。
【０１６６】
ステップＳＰ３９において携帯電話機６のＣＰＵ４０は、サーバ１１と接続すると、当該サーバ１１へシリアル番号を送信し、サブルーチンＳＲＴ１へ移る。
【０１６７】
但しステップＳＰ３９において携帯電話機６のＣＰＵ４０は、案内モード（図８）の場合、シリアル番号及びＧＰＳ情報をサーバ１１へ送信し、エラー対応モード（図９）の場合、シリアル番号及びエラーコードをサーバ１１へ送信し、サブルーチンＳＲＴ１へ移る。
【０１６８】
図１３に示すように携帯電話機６のＣＰＵ４０は、サブルーチンＳＲＴ１の開始ステップから入って次のステップＳＰ５１へ移り、サーバ１１から送信されたユーザ入力画面データを受信し、当該ユーザ入力画面データに対応したユーザ入力画面ＭＢＵ２（図５〜図９）をＬＣＤ１０に表示して次のステップＳＰ５２へ移る。
【０１６９】
ステップＳＰ５２において携帯電話機６のＣＰＵ４０は、ユーザによりユーザ入力画面ＭＢＵ２の住所入力欄ＡＳ及び氏名入力欄ＮＳに対して住所及び氏名が入力されると、次のステップＳＰ５３へ移る。
【０１７０】
ステップＳＰ５３において携帯電話機６のＣＰＵ４０は、ユーザ入力画面ＭＢＵ２の送信ボタンＦＢが操作されると、シリアル番号、住所及び氏名をサーバ１１に送信し、次のステップＳＰ５４へ移る。
【０１７１】
ステップＳＰ５４において携帯電話機６のＣＰＵ４０は、ユーザ登録が完了した後、ルーチンＲＴ３のステップＳＰ４０へ戻る。
【０１７２】
但しユーザ登録モード（図５）の場合、ステップＳＰ５４において携帯電話機６のＣＰＵ４０は、ユーザ登録が完了した後、ユーザ登録完了通知画面ＭＢＵ３をＬＣＤ１０に表示し、ルーチンＲＴ３のステップＳＰ４０へ戻る。
【０１７３】
すなわちサブルーチンＳＲＴ１において携帯電話機６のＣＰＵ４０は、シリアル番号、ユーザに入力された住所及び氏名をサーバ１１へ送信してユーザ登録が完了し、次のステップＳＰ４０へ戻る。
【０１７４】
なおサブルーチンＳＲＴ１において携帯電話機６のＣＰＵ４０は、サーバ１１がすでにユーザ登録していると判断した場合、ユーザ登録を行わずに次のステップＳＰ４０へ移る。
【０１７５】
ステップＳＰ４０において携帯電話機６のＣＰＵ４０は、サーバ１１から更新プログラム、商品情報、施設情報、又はエラー概要及び対処方法の提供情報を受信し、次のステップＳＰ４１へ移る。
【０１７６】
ステップＳＰ４１において携帯電話機６のＣＰＵ４０は、サーバ１１から送信された更新プログラム、商品情報、施設情報、又はエラー概要及び対処方法の提供情報がＰＮＤ２へ転送できるか否かを判断し、肯定結果が得られると、このことはサーバ１１から送信された提供情報が、更新プログラム又は施設情報であることを意味し、送信ボタンＲＢ１及びメモリカードボタンＲＢ２が含まれた転送方法選択画面ＭＢＰ３（図６）又は転送方法選択画面ＭＢＳ３（図８）を生成してＬＣＤ１０に表示し、次のステップＳＰ４２へ移り、否定結果が得られるとステップＳＰ４６へ移って処理を終了する。
【０１７７】
ステップＳＰ４２において携帯電話機６のＣＰＵ４０は、ユーザによる転送方法選択画面ＭＢＰ３（図６）又は転送方法選択画面ＭＢＳ３（図８）の送信ボタンＲＢ１が操作されたか否かを判断し、肯定結果が得られると、次のステップＳＰ４３へ移り、否定結果が得られるとステップＳＰ４４へ移る。
【０１７８】
ステップＳＰ４３において携帯電話機６のＣＰＵ４０は、サーバ１１から送信された更新プログラム又は施設情報を無線通信ユニット４７を介してＰＮＤ２へ送信し、ステップＳＰ４６へ移って処理を終了する。
【０１７９】
ステップＳＰ４４において携帯電話機６のＣＰＵ４０は、ユーザによる転送方法選択画面ＭＢＰ３（図６）又は転送方法選択画面ＭＢＳ３（図８）のメモリカードボタンＲＢ２が操作されたか否かを判断し、肯定結果が得られると次のステップＳＰ４５へ移り、否定結果が得られると、このことはユーザにより転送方法選択画面ＭＢＰ３（図６）又は転送方法選択画面ＭＢＳ３（図８）の送信ボタンＲＢ１及びメモリカードボタンＲＢ２のいずれも操作されていないことを意味し、ステップＳＰ４２へ戻り、ユーザによる転送方法選択画面ＭＢＰ３（図６）又は転送方法選択画面ＭＢＳ３（図８）の送信ボタンＲＢ１又はメモリカードボタンＲＢ２のいずれかが操作されたことを認識するまで待ち受ける。
【０１８０】
ステップＳＰ４５において携帯電話機６のＣＰＵ４０は、メモリカード装着部４８に装着されたメモリカードへサーバ１１から送信された更新プログラム又は施設情報を書き込み、次のステップＳＰ４６へ移って処理を終了する。
【０１８１】
（５）動作及び効果
以上の構成において、ＰＮＤ２のＣＰＵ２０は、モニター４に表示したメニュー画面ＰＮＭ（図５）のユーザ登録アイコンＩＣ１がタッチ操作されると、シリアル番号及びユーザ登録用ＵＲＬが配置されたユーザ登録提供方法選択画面ＰＮＵ１（図５）をモニター４に表示することにより、モニター４に表示したユーザ登録提供方法選択画面ＰＮＵ１の画面内容をユーザに対して目視確認させることができる。
【０１８２】
因みにＰＮＤ２のＣＰＵ２０は、プログラム更新モード（図６）、サイト情報入手モード（図７）及び案内モード（図８）についても同様に、モニター４に表示したプログラム更新提供方法選択画面ＰＮＰ１（図６）、商品関連サイト提供方法選択画面ＰＮＲ１（図７）又は案内提供方法選択画面ＰＮＳ１（図８）の画面内容をユーザに対して目視確認させることができる。
【０１８３】
またＰＮＤ２のＣＰＵ２０は、当該ＰＮＤ２に何らかの不具合が発生した場合、その不具合に対応したエラーコードが含まれたエラーコード表示画面ＰＮＥ１（図９）をモニター４に表示し、当該エラーコード表示画面ＰＮＥ１がタッチ操作されると、シリアル番号、エラー対応用ＵＲＬ及び当該エラーコードが配置されたエラーコード対応提供方法選択画面ＰＮＥ２（図９）をモニター４に表示することにより、ユーザに対してモニター４に表示したエラーコード対応提供方法選択画面ＰＮＥ２の画面内容を目視確認させることができる。
【０１８４】
ところでＰＮＤ２のＣＰＵ２０は、ユーザ登録提供方法選択画面ＰＮＵ１（図５）の送信アイコンＳＩ１がタッチ操作されると、シリアル番号及びユーザ登録用ＵＲＬが含まれたユーザ登録画面データを携帯電話機６へ無線送信し、携帯電話機６に無線受信させることにより、ユーザに対してメモ用紙等に書き写させる等の煩雑な操作を一切強いることなくユーザ登録画面データを携帯電話機６へ受け渡すことができる。
【０１８５】
またＰＮＤ２のＣＰＵ２０は、プログラム更新モード（図６）、サイト情報入手モード（図７）、案内モード（図８）及びエラー対応モード（図９）についても同様に、携帯電話機６に無線受信させることにより、ユーザに対してメモ用紙等に書き写させる等の煩雑な操作を一切強いることなくプログラム更新画面データ、商品関連サイト画面データ、案内画面データ又はエラーコード対応画面データを携帯電話機６へ受け渡すことができる。
【０１８６】
一方ＰＮＤ２のＣＰＵ２０は、ユーザ登録提供方法選択画面ＰＮＵ１（図５）のＱＲコードアイコンＳＩ２がタッチ操作されると、シリアル番号及びユーザ登録用ＵＲＬが含まれたユーザ登録画面データをＱＲコードＣ１に変換し、当該ＱＲコードＣ１が付されたＱＲコード表示画面ＰＮＵ２（図５）をモニター４に表示し、モニター４に表示したＱＲコードＣ１を携帯電話機６に対して撮像させることにより、ユーザに対してメモ用紙等に書き写させる等の煩雑な操作を一切強いることがなく、かつ無線通信中に伝送エラーが起きることなくユーザ登録画面データを携帯電話機６へ受け渡すことができる。
【０１８７】
またＰＮＤ２のＣＰＵ２０は、プログラム更新モード（図６）、サイト情報入手モード（図７）、案内モード（図８）及びエラー対応モード（図９）についても同様に、モニター４に表示したＱＲコードＣ２、ＱＲコードＣ３、ＱＲコードＣ４又はＱＲコードＣ５を携帯電話機６に対して撮像させることにより、ユーザに対してメモ用紙等に書き写させる等の煩雑な操作を一切強いることがなく、かつ無線通信中に伝送エラーが起きることなくプログラム更新画面データ、商品関連サイト画面データ、案内画面データ又はエラーコード対応画面データを携帯電話機６へ受け渡すことができる。
【０１８８】
ところでＰＮＤ２のＣＰＵ２０は、ユーザ登録提供方法選択画面ＰＮＵ１（図５）のメモリカードアイコンＳＩ３がタッチ操作されると、シリアル番号及びユーザ登録用ＵＲＬが含まれたユーザ登録画面データをメモリカードに書き込み、当該メモリカードに書き込まれたユーザ登録画面データを携帯電話機６に対して読み取らせることにより、ユーザに対してメモ用紙等で書き写させる等の煩雑な操作を一切強いることがなく、かつユーザが当該ＰＮＤ２の近くにいない場合においてもメモリカードを介してオフライン通信を行わせ、ユーザ登録画面データを携帯電話機６へ受け渡すことができる。
【０１８９】
またＰＮＤ２のＣＰＵ２０は、プログラム更新モード（図６）、サイト情報入手モード（図７）、案内モード（図８）及びエラー対応モード（図９）についても同様に、メモリカードに書かれたプログラム更新画面データ、商品関連サイト画面データ、案内画面データ及びエラーコード対応画面データを携帯電話機６に対して読み取らせることにより、ユーザに対してメモ用紙等で書き写させる等の煩雑な操作を一切強いることがなく、かつユーザが当該ＰＮＤ２の近くにいない場合においてもメモリカードを介してオフライン通信を行わせ、プログラム更新画面データ、商品関連サイト画面データ、案内画面データ又はエラーコード対応画面データを携帯電話機６へ受け渡すことができる。
【０１９０】
なおＰＮＤ２のＣＰＵ２０は、ユーザ登録モード（図５）において、ユーザ登録画面データを携帯電話機６へ受け渡すと、当該携帯電話機６がユーザ登録用ＵＲＬに対応したサーバ１１へ接続し、当該携帯電話機６がユーザ入力画面ＭＢＵ２をＬＣＤ１０に表示することにより、ユーザに対して住所及び氏名を入力させるだけで容易かつ速やかにユーザ登録を行わせることができる。
【０１９１】
またＰＮＤ２のＣＰＵ２０は、プログラム更新モード（図６）において、プログラム更新画面データを携帯電話機６へ受け渡すと、当該携帯電話機６がプログラム更新用ＵＲＬに対応したサーバ１１へ接続し、当該携帯電話機６がサーバ１１から受信した更新プログラムを当該ＰＮＤ２へ提供することにより、容易かつ短時間に更新プログラムを取得することができる。
【０１９２】
さらにＰＮＤ２のＣＰＵ２０は、サイト情報入手モード（図７）において、商品関連サイト画面データを携帯電話機６へ受け渡すと、当該携帯電話機６が商品関連サイト用ＵＲＬに対応したサーバ１１へ接続し、当該携帯電話機６が商品画面ＭＢＲ２をＬＣＤ１０に表示することにより、容易に当該ＰＮＤ２に関連した商品情報をユーザに対して提供することができる。
【０１９３】
加えてＰＮＤ２のＣＰＵ２０は、案内モード（図８）において、案内画面データを携帯電話機６へ受け渡すと、当該携帯電話機６が案内用ＵＲＬに対応したサーバ１１へ接続し、当該携帯電話機６がサーバ１１から受信した現在地に近い修理対応店及びサービスステーションの施設情報をＰＮＤ２へ提供すると、ルート案内を行うことができ、ユーザに対して何ら煩雑な操作を一切行わせることなく、修理対応店又はサービスステーションへの到達経路を案内することができる。
【０１９４】
ところでＰＮＤ２のＣＰＵ２０は、エラー対応モード（図９）において、エラーコード対応画面データを携帯電話機６へ受け渡すと、当該携帯電話機６がエラー対応用ＵＲＬに対応したサーバ１１へ接続し、当該携帯電話機６がエラー対処画面ＭＢＥ２をＬＣＤ１０に表示することにより、容易にエラーコードに対応したエラー概要及び対処方法をユーザに対して提供することができる。
【０１９５】
以上の構成によれば、情報通信システム１におけるＰＮＤ２では、ユーザ登録モード（図５）においてシリアル番号及びユーザ登録用ＵＲＬが含まれたユーザ登録画面データを無線通信、ＱＲコードＣ１に対する携帯電話機６の撮像処理、又はメモリカードを介したオフライン通信処理により携帯電話機６へ受け渡すことができ、かくしてユーザに対して何ら煩雑な操作を一切行わせることなく、正確かつ容易にユーザ登録画面データを携帯電話機６へ受け渡すことができる。
【０１９６】
またＰＮＤ２は、プログラム更新モード（図６）、サイト情報入手モード（図７）、案内モード（図８）及びエラー対応モード（図９）においても同様に、無線通信、ＱＲコードＣ２〜Ｃ５に対する携帯電話機６の撮像処理、又はメモリカードを介したオフライン通信処理により携帯電話機６へ受け渡すことができ、かくしてユーザに対して何ら煩雑な操作を一切行わせることなく、正確かつ容易にプログラム更新画面データ、商品関連サイト画面データ、案内画面データ及びエラーコード対応画面データを携帯電話機６へ受け渡すことができる。
【０１９７】
（６）他の実施の形態
なお上述した実施の形態においては、例えばユーザ登録モード（図５）では、シリアル番号及びユーザ登録用ＵＲＬと、送信アイコンＳＩ１、ＱＲコードアイコンＳＩ２及びメモリカードアイコンＳＩ３とが配置されたユーザ登録提供方法選択画面ＰＮＵ１を生成し、モニター４に表示した場合について述べたが、本発明はこれに限らず、図１４に示すようにシリアル番号及びユーザ登録用ＵＲＬの右側にＱＲコードＣ１を付し、当該シリアル番号、当該ユーザ登録用ＵＲＬ及び当該ＱＲコードＣ１と、送信アイコンＳＩ１及びメモリカードアイコンＳＩ３とが配置されたユーザ登録提供方法選択画面ＰＮＵ３を生成し、モニター４に表示するようにしても良い。
【０１９８】
また上述した実施の形態においては、ＰＮＤ２及び携帯電話機６の間をBluetooth又はＩｒＤＡによって無線接続する場合について述べたが、本発明はこれに限らず、IEEE（Institute of Electrical and Electronics Engineers）802.11系の無線ＬＡＮ（Local Area Network）や、ＣＡＮ（Controller Area Network）、Ｆｅｌｉｃａ（ソニー株式会社登録商標）等のその他種々の無線通信方法によってＰＮＤ２及び携帯電話機６の間を無線接続するようにしても良い。
【０１９９】
さらに上述した実施の形態においては、例えばユーザ登録モード（図５）では、シリアル番号、ユーザ登録用ＵＲＬが含まれたユーザ登録画面データをメモリカードを介したオフライン通信により携帯電話機６へ受け渡す場合について述べたが、本発明はこれに限らず、ＵＳＢ（Universal Serial Bus）メモリや小型のハードディスクドライブ等のその他種々のデータ記憶装置を介してシリアル番号、ユーザ登録用ＵＲＬが含まれたユーザ登録画面データを携帯電話機６へ受け渡すようにしても良い。
【０２００】
さらに上述した実施の形態においては、例えばユーザ登録モード（図５）では、ＰＮＤ２のＣＰＵ２０が、シリアル番号及びユーザ登録用ＵＲＬが含まれたユーザ登録画面データを携帯電話機６へ受け渡す場合について述べたが、本発明はこれに限らず、ＰＮＤ２のモニター４に表示された地図データや不揮発性メモリ２１に格納されたＰＯＩ情報等のその他種々の不揮発性メモリ２１に格納された情報を携帯電話機６へ受け渡すようにしても良い。
【０２０１】
さらに上述した実施の形態においては、例えばユーザ登録モード（図５）では、ＰＮＤ２のＣＰＵ２０が、シリアル番号及びユーザ登録用ＵＲＬが含まれたユーザ登録画面データを携帯電話機６へ受け渡す際、ユーザ登録提供方法選択画面ＰＮＵ１に送信アイコンＳＩ１、ＱＲコードアイコンＳＩ２及びメモリカードアイコンＳＩ３を配置する場合について述べたが、本発明はこれに限らず、ユーザ登録提供方法選択画面ＰＮＵ１に送信アイコンＳＩ１、ＱＲコードアイコンＳＩ２及びメモリカードアイコンＳＩ３のいずれか１つを配置、又は送信アイコンＳＩ１、ＱＲコードアイコンＳＩ２及びメモリカードアイコンＳＩ３を任意に組み合わせて配置するようにしても良い。
【０２０２】
さらに上述した実施の形態においては、例えばユーザ登録モード（図５）では、ＰＮＤ２のＣＰＵ２０が、シリアル番号及びユーザ登録用ＵＲＬが含まれたユーザ登録画面データをメモリカードを介したオフライン通信により携帯電話機６へ受け渡す際、メモリカード装着部３０にメモリカードが装着されていないとき、ユーザ登録提供方法選択画面ＰＮＵ１を再び表示し、送信アイコンＳＩ１、ＱＲコードアイコンＳＩ２又はメモリカードアイコンＳＩ３のいずれかをユーザに対して再び選択させる場合について述べたが、本発明はこれに限らず、メモリカードが装着されていないとき、送信アイコンＳＩ１、ＱＲコードアイコンＳＩ２及びメモリカードアイコンＳＩ３のいずれかを再び選択させるのではなく、例えば「メモリカードを挿入してください」等のメッセージをモニター４に表示して、ユーザに対してメモリカードを挿入することを促すようにしても良い。
【０２０３】
さらに上述した実施の形態においては、ＰＮＤ２のＣＰＵ２０が、予め不揮発性メモリ２１に格納されているアプリケーションプログラムに従い、上述したルーチンＲＴ１の情報提供処理手順及びルーチンＲＴ２のエラー対応処理手順を実行するようにした場合について述べたが、本発明はこれに限らず、記憶媒体からインストールしたアプリケーションプログラムや、インターネットからダウンロードしたアプリケーションプログラム、その他種々のルートによってインストールしたアプリケーションプログラムに従って上述した情報提供処理手順及びエラー対応処理手順を実行するようにしても良い。
【０２０４】
さらに上述した実施の形態においては、携帯電話機６のＣＰＵ４０が、予め不揮発性メモリ４１に格納されているアプリケーションプログラムに従い、上述したルーチンＲＴ３の情報取得提供処理手順及びサブルーチンＳＲＴ１のユーザ登録処理手順を実行するようにした場合について述べたが、本発明はこれに限らず、記憶媒体からインストールしたアプリケーションプログラムや、インターネットからダウンロードしたアプリケーションプログラム、その他種々のルートによってインストールしたアプリケーションプログラムに従って上述した情報取得提供処理手順及びユーザ登録処理手順を実行するようにしても良い。
【０２０５】
さらに上述した実施の形態においては、記憶手段として不揮発性メモリ２１、表示手段としてモニター４、提供手段として無線通信ユニット２８、ＱＲコード変換部２９及びメモリカード装着部３０によって本発明のナビゲーション装置としてのＰＮＤ２を構成するようにした場合について述べたが、本発明はこれに限らず、この他種々の構成でなる記憶手段、表示手段及び提供手段によってナビゲーション装置を構成するようにしても良い。
【産業上の利用可能性】
【０２０６】
本発明のナビゲーション装置、ナビゲーション装置の情報提供方法及びナビゲーション装置の情報提供システムは、例えばＰＮＤ以外にも、据え置き型のナビゲーション装置等に適用することができる。
【図面の簡単な説明】
【０２０７】
【図１】情報通信システムを示す略線図である。
【図２】ＰＮＤの回路構成を示す略線的ブロック図である。
【図３】携帯電話機の回路構成を示す略線的ブロック図である。
【図４】サーバの回路構成を示す略線的ブロック図である。
【図５】ユーザ登録モードを示す略線図である。
【図６】プログラム更新モードを示す略線図である。
【図７】サイト情報入手モードを示す略線図である。
【図８】案内モードを示す略線図である。
【図９】エラー対応モードを示す略線図である。
【図１０】情報提供処理手順を示すフローチャートである。
【図１１】エラー対応処理手順を示すフローチャートである。
【図１２】情報取得提供処理手順を示すフローチャートである。
【図１３】ユーザ登録処理手順を示すフローチャートである。
【図１４】他の実施の形態におけるユーザ登録提供方法選択画面を示す略線図である。
【符号の説明】
【０２０８】
１……情報通信システム、２……ＰＮＤ、３……本体部、４……モニター、５……メモリカード挿入口、６……携帯電話機、７……本体部、８……メモリカード挿入部、９……カメラ部、１０……ＬＣＤ、１１……サーバ、２０……ＣＰＵ、２１……不揮発性メモリ、２２……ＲＡＭ、２３……ＧＰＳユニット、２４……ＬＣＤ、２５……タッチパネル、２６……音声処理部、２７……スピーカ、２８……無線通信ユニット、２９……ＱＲコード変換部、３０……メモリカード装着部、３１……バッテリ、４０……ＣＰＵ、４１……不揮発性メモリ、４２……ＲＡＭ、４３……送受信部、４４……マイクロフォン、４５……音声コーデック、４６……スピーカ、４７……無線通信ユニット、４８……メモリカード装着部、４９……ＱＲコード変換部、５０……バッテリ、６０……ＣＰＵ、６１……ハードディスクドライブ、６２……ＲＯＭ、６３……ＲＡＭ。
【図１】
2009025254.tif 000003
【図２】
2009025254.tif 000004
【図３】
2009025254.tif 000005
【図４】
2009025254.tif 000006
【図５】
2009025254.tif 000007
【図６】
2009025254.tif 000008
【図７】
2009025254.tif 000009
【図８】
2009025254.tif 000010
【図９】
2009025254.tif 000011
【図１０】
2009025254.tif 000012
【図１１】
2009025254.tif 000013
【図１２】
2009025254.tif 000014
【図１３】
2009025254.tif 000015
【図１４】
2009025254.tif 000016